(57)【要約】【課題】  コンクリート基礎などの障害物の近くに生えている雑草を草刈機の刃を傷めることなく安全・確実・迅速に刈り取れる草刈機用補助具を提供すること。【解決手段】  図１に示すように、草刈機の支柱に取り付けることができ、草刈機の回転刃の１０〜１５ｍｍ外側の位置に全体の３分の１程度をカバーする太さ６ｍｍ程度の円形の硬い鋼材が来るように、支柱に固定する部品の回転刃に近い箇所から３０度程度の角度で開いた２本の硬い鋼材を円弧状に概回転刃を保護する鋼材に２箇所で溶接する。その溶接部には三角形状の厚さ２ｍｍ程度の鋼材を先端側に近い位置に来るように溶接する。この三角形状の部材は回転刃の側に向けて設置し、その三角形の先端が一部回転刃の内側まで入り込む大きさとする。【選択図】図１
0003130597.tif 000002
【実用新案登録請求の範囲】
【請求項１】
草刈機の回転刃の１０〜１５ｍｍ外周部に回転刃の３分の１程度を保護する太さ６ｍｍ程度の硬い鋼材がくるようにでき、草刈機の支柱に固定できる部分を有し、その固定部分の回転刃に近い部分から３０度程度の角度で開いた２方向へ太さ６ｍｍ程度の硬い鋼材を円弧状に伸ばし、その先端は概回転刃の外周部カバーの鋼材に溶接され、その溶接部の回転刃方向へひとつの角度が６０度である直角三角形状の厚さ２ｍｍ程度の鋼材を一番長い部分で溶接し、その先端が一部回転刃の内側に位置する大きさであることを特徴とする障害物近くの草処理用草刈機の補助具。
【考案の詳細な説明】
【技術分野】
【０００１】  本考案は、コンクリート壁など色々な障害物の近隣に生えている雑草を、安全・確実に刈り取ることのできる草刈機に関するものである。
【背景技術】
【０００２】  これまでも草刈機に関する考案は数多く出願されている。その中でも本考案に近い技術としては、草刈機に回転刃の近くに特定の形状のカバーを取り付けるものである（特許文献１，２参照）。単に、草刈刃の先端に三角形状の保護具を設けるものである。
【特許文献１】実開平０７−２５７１６号公報
【特許文献２】実開平０５−２９３２９号公報
【考案の開示】
【考案が解決しようとする課題】
【０００３】  コンクリート基礎などの障害物の近くに生えている雑草を草刈機の刃を傷めることなく安全・確実・迅速に刈り取れる草刈機用補助具を提供すること。
【課題を解決するための手段】
【０００４】  図１に示すように、草刈機の支柱の２箇所で固定でき、その回転刃に近い部分から３０度程度の角度で２本の太さ６ｍｍ程度の円形の硬い鋼材を円弧上に回転刃の水平平面より１０ｍｍ程度下側の位置まで伸ばし、その先端部には回転刃に同じ隙間になるように円弧形状の同じ太さ、材質の鋼材を円周の３分の１程度カバーする長さのものを２箇所で溶接し、その回転刃をカバーする部分の鋼材には先端から１０ｍｍ程度内側に先端に近いほうが３０度程度の角度を有する直角三角形の硬い鋼材を、回転刃に向いた方向で２箇所溶接する。その三角形の内側の先端部は回転刃の内側に来る大きさのものを設ける。このような形の補助具を作製し、草刈機につければよい。
【考案の効果】
【０００５】  コンクリト壁などの障害物の近くにある草を安全・確実かつ迅速に刈り取ることができる。
【考案を実施するための最良の形態】
【０００６】  草刈機の支柱に取り付けることができ、草刈機の回転刃の１０〜１５ｍｍ外側の位置に全体の３分の１程度をカバーする太さ６ｍｍ程度の円形の硬い鋼材が来るように、支柱に固定する部品の回転刃に近い箇所から３０度程度の角度で開いた２本の硬い鋼材を円弧状に概回転刃を保護する鋼材に２箇所で溶接する。その溶接部には略直角三角形状の厚さ２ｍｍ程度の鋼材を溶接する。この三角形状の部材は回転刃の側に向けて設置し、その三角形の先端が一部回転刃の内側まで入り込む大きさとする。
このようのして作製した補助具を市販の草刈機に取り付けてコンクリート壁の近くの草やガードレールポールの近くの草の刈り取りを実施したところ、草刈機の刃を傷めることなく迅速に草を刈り取ることができた。小屋の壁を形成している波型のトタンの近くにある草もトタンを傷つけることなく刈り取ることができた。
【図１】
0003130597.tif 000003
【図２】
0003130597.tif 000004
【手続補正書】
【提出日】平成18年10月6日(2006.10.6)
【手続補正１】
【補正対象書類名】実用新案登録請求の範囲
【補正対象項目名】全文
【補正方法】変更
【補正の内容】
【実用新案登録請求の範囲】
【請求項１】
草刈機の柄（支柱）に固定して使用する補助具であり、草刈機の回転刃の１０〜１５ｍｍ外周部に、回転刃の３分の１程度を保護する太さ６ｍｍ程度の硬い鋼材Ａがくるようにでき、草刈機の柄（支柱）に固定できる部分を有し、その固定部分の回転刃に近い部分から３０度程度の角度で開いた２方向へ太さ６ｍｍ程度の硬い鋼材を円弧状に伸ばし、その先端は前記鋼材Ａに溶接され、その溶接部に回転刃方向へ一つの角度が約６０度である略直角三角形状の厚さ２ｍｍ程度の鋼材を一番長い部分で、且つ角度が低い方を外側にして溶接し、その先端が一部回転刃の内側に位置する大きさであることを特徴とする障害物近くの草処理用草刈機の補助金具。
【手続補正２】
【補正対象書類名】明細書
【補正対象項目名】全文
【補正方法】変更
【補正の内容】
【考案の詳細な説明】
【技術分野】
【０００１】  本考案は、コンクリート壁など色々な障害物の近隣に生えている雑草を、安全・確実に刈り取ることができる草刈機の補助金具に関する。
【背景技術】
【０００２】  これまでも草刈機の補助具に関する考案は数多く出願されている。その中でも本考案に近い技術としては、草刈機の近くに特定形状のカバーを取り付けるものがある（特許文献１，２参照）。単に、草刈刃の先端に三角形状の保護具を設けるものである。
【特許文献１】実開平０７−２５７１６号公報
【特許文献２】実開平０５−２９３２９号公報
【考案の開示】
【考案が解決しようとする課題】
【０００３】  コンクリート基礎などの障害物の近くに生えている雑草を草刈機の刃を傷めることなく安全・確実・迅速に刈り取ることができる草刈機用補助金具を提供すること。
【課題を解決するための手段】
【０００４】  図１に示すように、草刈機の柄（支柱）の２箇所で固定でき、その固定部分の回転刃に近い部分から３０度程度の角度で２本の太さが６ｍｍ程度の円形の鋼材を円弧状に回転刃の水平面より１０ｍｍ程度下側の位置まで伸ばし、その先端部には草刈機の回転刃の円周の３分の１程度をカバーする長さで、回転刃の１０〜１５ｍｍ程度外部に離れた位置にて円弧形状で、同じ太さ、同じ材質の鋼材Ａを、その先端から１０ｍｍ程度内側の位置２箇所で溶接し、その溶接部には更に回転刃を向いた方向に鋼材Ａに一つの角度が６０度程度である略直角形状の厚さ２ｍｍ程度の鋼材を、角度が低い部分が外側の位置に来るようにし、その三角形の先端部は回転刃の内側に来る大きさのものを２箇所で溶接して設ける。このような補助金具は図１及び２で示すように、丸い鋼材を収納可能な形状の固定金具をビスなどで固定し、補助金具の丸い部分を固定金具の孔に通してビスなどで固定する。
【考案の効果】
【０００５】  コンクリート壁などの障害物の近くにある草を安全・確実かつ迅速に刈り取ることができるようになった。
【考案を実施するための最良の形態】
【０００６】  草刈機の柄（支柱）に取り付けることができ、草刈機の回転刃の１０〜１５ｍｍ外側の位置に回転刃全体の３分の１程度をカバーする太さ６ｍｍ程度の円形の鋼材が来るように、草刈機の柄（支柱）に固定する部品の回転刃に近い箇所から３０度程度の角度で開いた２本の硬い鋼材を円弧形状に伸ばし、前記回転刃のカバー鋼材に２箇所で溶接する。その溶接部には、一つの角が６０度程度の略直角三角形状の厚さ２ｍｍ程度の鋼材を一番長い部分で溶接する。この三角形状の部材は回転刃の側に向けて設置し、その６０度程度の角度を持つ部分はより内側に来るようにし、その先端部が一部回転刃の内側まで入り込む大きさとする。
このようにして作製した補助金具を市販の草刈機に取り付けてコンクリート壁の近くの草やガードレール近くの草の刈り取りを実施したところ、草刈機の刃を傷めることなく迅速に刈り取ることができた。小屋の壁を形成している波型形状のトタンの近くにある草もトタンを傷つけることなく刈り取ることができた。
【図面の簡単な説明】
【０００７】  図１  本考案の草刈機補助金具の上面図
図２  本考案の草刈機補助金具の側面図
【符号の説明】
１    草刈機の回転刃
２    草刈機の柄（支柱）
３    本考案の草刈機の補助金具
Ａ    補助金具の回転刃カバー部分
Ｂ    補助金具の固定部分
【手続補正３】
【補正対象書類名】図面
【補正対象項目名】全図
【補正方法】変更
【補正の内容】
【図１】
0003130597.tif 000005
【図２】
0003130597.tif 000006
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
草刈機の柄に固定して使用する補助具であり、草刈機の回転刃の１０〜１５ｍｍ外周部に、回転刃の略４分の１程度を円弧状に保護する太さ６ｍｍ程度の硬い鋼材Ａが来るようにでき、草刈機の柄に固定できる部分を有し、その固定部分の回転刃に近い部分から３０度程度の角度で開いた２方向へ太さ６ｍｍ程度の鋼材を円弧状に伸ばし、その先端は前記鋼材Ａに２カ所でそれぞれ溶接され、その２カ所の溶接部に回転刃方向へ一つの角度が約６０度である略直角三角形状の厚さ２ｍｍ程度の鋼材を一番長い部分で、且つ角度が低い方が外側に位置するように溶接し、その先端部の一部が回転刃の内側に位置する大きさであることを特徴とする草刈機の補助金具。
【手続補正２】
【補正対象書類名】図面
【補正対象項目名】全図
【補正方法】変更
【補正の内容】
【図１】
0003130597.tif 000007
【図２】
0003130597.tif 000008
【図３】
0003130597.tif 000009
【手続補正３】
【補正対象書類名】明細書
【補正対象項目名】０００７
【補正方法】変更
【補正の内容】
【０００７】
【図１】本考案の草刈機補助金具の上面図
【図２】本考案の草刈機補助金具の側面図
【図３】本考案の草刈機補助金具の草刈機への取付金具の詳細図
【符号の説明】
１  草刈機本体の柄
２  草刈機本体の回転刃
３  補助金具
４  補助金具の草刈機本体への取付金具